(57)【要約】【課題】  アドレシング動作と維持放電動作の間の時間差を減らすことができるプラズマ表示装置とその駆動方法を提供する。【解決手段】  少なくとも１つのサブフィールドで、各グループについてのアドレス期間に、各グループの放電セルの中で発光セルを選択する段階と、各維持期間に、第１電極と第２電極に各々少なくとも１つの第１または第２維持放電パルスを印加する段階を含み、時間的に隣接した２つのアドレス期間に、複数の維持期間中で少なくとも１つの維持期間が存在し、複数の維持期間中の少なくとも１つの第１維持期間で、少なくとも１つの第１グループについての第１及び第２維持放電パルスは、ハイレベルとローレベルを反対位相にして有し、第１維持期間で、少なくとも１つの第２グループについての少なくとも１つの第１維持放電パルスは、前記ハイレベルまたはローレベルの中のいずれか一つのレベルを有しない。【選択図】    図４
2006058884.tif 000002
【特許請求の範囲】
【請求項１】
複数の第１電極及び第２電極と、前記第１及び第２電極と交差する方向に伸びている複数の第３電極とを含み、前記第１、第２及び第３電極によって放電セルが形成されるプラズマ表示装置の、１フレームを複数のサブフィールドに分割して駆動するプラズマ表示装置の駆動方法であって、
前記複数の第１及び第２電極が複数のグループに分割され、前記サブフィールドは複数の維持期間と前記複数のグループに各々対応する複数のアドレス期間を含み、
少なくとも一つの前記サブフィールドで、
前記各グループについてのアドレス期間に、前記各グループの放電セルの中で 発光セルを選択する段階と、
前記各維持期間に、前記第１電極と第２電極に各々少なくとも一つの第１または第２維持放電パルスを印加する段階とを含み、
時間的に隣接した二つの前記アドレス期間に、前記複数の維持期間の中の少なくとも一つの維持期間が存在し、
前記複数の維持期間の中の少なくとも一つの第１維持期間で、前記複数のグループの中の少なくとも一つの第１グループについての前記第１及び第２維持放電パルスはハイレベルとローレベルを反対位相として有し、
前記第１維持期間で、前記複数のグループの中の少なくとも一つの第２グループについての少なくとも一つの前記第１維持放電パルスは、前記ハイレベル及びローレベルの中のいずれか一つのレベルを備えないことを特徴とするプラズマ表示装置の駆動方法。
【請求項２】
前記複数の維持期間中で、前記第１維持期間ではない第２維持期間に、前記第１及び第２維持放電パルスは、ハイレベルとローレベルを反対位相にして有することを特徴とする請求項１に記載のプラズマ表示装置の駆動方法。
【請求項３】
前記第１維持期間に、前記第２グループについての前記少なくとも一つの第１維持放電パルスは、常にハイレベルを有することを特徴とする請求項１に記載のプラズマ表示装置の駆動方法。
【請求項４】
前記第１維持期間に、前記第２グループについての前記少なくとも一つの第１維持放電パルスは、前記ハイレベルと前記ローレベルの間の中間レベルと前記ハイレベルを交互に有することを特徴とする請求項１に記載のプラズマ表示装置の駆動方法。
【請求項５】
前記第１維持期間で、前記第２グループについての前記少なくとも一つの第１維持放電パルスが前記中間レベルを有するとき、前記第２維持放電パルスは前記ローレベルを有することを特徴とする請求項４に記載のプラズマ表示装置の駆動方法。
【請求項６】
前記第１電極は、前記アドレス期間に走査パルスが印加される走査電極であることを特徴とする請求項１に記載のプラズマ表示装置の駆動方法。
【請求項７】
前記第２電極は、前記アドレス期間に走査パルスが印加される走査電極であることを特徴とする請求項１に記載のプラズマ表示装置の駆動方法。
【請求項８】
前記複数のグループは、前記第１グループと前記第２グループを含んでなる２つのグループであることを特徴とする請求項１に記載のプラズマ表示装置の駆動方法。
【請求項９】
一つの方向に伸びている複数の第１電極及び第２電極と、前記第１及び第２電極と交差する方向に伸びている複数の第３電極を含み、前記第１、第２及び第３電極によって放電セルが形成されるプラズマ表示装置の、１フレームを複数のサブフィールドに分割して駆動するプラズマ表示装置の駆動方法であって、
前記複数の第１及び第２電極を複数のグループに分割する段階を備え、
少なくとも一つのサブフィールドで、
前記複数のグループの中の第１グループの放電セルの中で発光セルを設定する段階と、
前記発光セルに対して第１回の維持放電を行う段階と、
前記複数のグループの中の第２グループの放電セルの中で発光セルを設定する段階と、
前記発光セルに対して前記第１回の維持放電を行う段階、及び、
前記第１グループの発光セルに対して第２回の維持放電を行い、前記第２グループの発光セルに対して前記第１回の期間と前記第２回の期間の合計の期間を有する第３回の維持放電を行う段階を含むことを特徴とするプラズマ表示装置の駆動方法。
【請求項１０】
前記第３回の期間と前記第２回の期間との差に相当する期間に、
前記第１電極に第１レベルと第２レベルを交互に有する少なくとも一つの第１維持放電パルスを印加する段階、及び、
前記第１電極に、前記少なくとも一つの第１維持放電パルスの前記第１レベルが印加される間に、前記第２電極に前記第１レベルを印加する段階、をさらに含むことを特徴とする請求項９に記載のプラズマ表示装置の駆動方法。
【請求項１１】
前記第１レベルはハイレベルであり、前記第２レベルはローレベルであることを特徴とする請求項１０に記載のプラズマ表示装置の駆動方法。
【請求項１２】
前記第３回の期間と前記第２回の期間との差に相当する期間に、
前記第１電極に、第１レベルと第２レベルを交互に有する少なくとも一つの第１維持放電パルスを印加する段階、及び、
前記第１電極に、前記少なくとも一つの第１維持放電パルスの前記第１レベルが印加される間に、前記第２電極に前記第１レベルと前記第２レベルの中間レベルの電圧を印加する段階をさらに含むことを特徴とする請求項９に記載のプラズマ表示装置の駆動方法。
【請求項１３】
前記第１レベルはハイレベルであり、前記第２レベルはローレベルであることを特徴とする請求項１２に記載のプラズマ表示装置の駆動方法。
【請求項１４】
前記第１電極は、前記アドレス期間に走査パルスが印加される走査電極であることを特徴とする請求項９に記載のプラズマ表示装置の駆動方法。
【請求項１５】
前記第２電極は、前記アドレス期間に走査パルスが印加される走査電極であることを特徴とする請求項９に記載のプラズマ表示装置の駆動方法。
【請求項１６】
複数の第１電極と、
前記複数の第１電極に各々連結されており、各々第１端と第２端を有して前記第１端または第２端からの入力を、対応する前記第１電極に選択的に伝達する複数の選択回路と、
維持放電のための第１電圧を供給する第１電源に第１端が連結され、前記複数の選択回路の第２端に電気経路を通って連結されている第１スイッチと、
維持放電のための第２電圧を供給する第２電源に第１端が連結され、前記複数の選択回路の第２端に前記電気経路を通って連結されている第２スイッチと、
前記複数の選択回路を複数のグループに分けるとき、少なくとも一つの第１グループの選択回路の第１端と前記第１電源の間に連結されている第３スイッチと、を備えることを特徴とするプラズマ表示装置。
【請求項１７】
前記第２スイッチが導通して前記複数のグループの中の前記第１グループではない第２グループの選択回路の前記第２端を通って、前記対応する第１電極に前記第２電圧が印加される期間のうちの所定期間に、
前記第３スイッチが導通して前記第１グループの選択回路の前記第１端を通って、前記対応する第１電極に前記第１電圧が印加されることを特徴とする請求項１６に記載のプラズマ表示装置。
【請求項１８】
前記選択回路は、前記第１端と前記第１電極の間に連結されている第４スイッチ及び前記第２端と前記第１電極の間に連結されている第５スイッチを備え、
前記所定期間に、前記第１グループの選択回路の前記第４スイッチが導通し、前記第２グループの選択回路の前記第５スイッチが導通することを特徴とする請求項１７に記載のプラズマ表示装置。
【請求項１９】
前記複数の選択回路の第２端に第１端が連結されているキャパシタ、及び、
前記キャパシタの第２端と前記第１グループの選択回路の第１端の間に連結されている第６スイッチをさらに備え、
前記所定期間に前記第６スイッチが遮断されることを特徴とする請求項１８に記載のプラズマ表示装置。
【請求項２０】
前記複数の選択回路の第２端に第１端が連結されているキャパシタ、及び、
前記キャパシタの第２端にアノードが連結され、前記第１グループの選択回路の第１端にカソードが連結されているダイオードをさらに備えることを特徴とする請求項１８に記載のプラズマ表示装置。
【請求項２１】
前記第１電極と同じ方向に伸びている複数の第２電極、及び、
前記第１及び第２電極と交差する方向に伸びている複数の第３電極をさらに備えることを特徴とする請求項１６に記載のプラズマ表示装置。
【請求項２２】
複数の第１電極と、
前記複数の第１電極を複数のグループに分割するとき、少なくとも一つの第１グループの第１電極に第１端が連結されている第１スイッチと、
出力端が、前記第１スイッチの第１端と前記第１グループではない第２グループの第１電極に連結されて、維持期間に第１電圧と第２電圧とを交互に出力する維持駆動部、及び、
第１端が前記第１グループの第１電極に連結され、第２端が前記維持駆動部の所定電源に連結されている第２スイッチを備えることを特徴とするプラズマ表示装置。
【請求項２３】
前記維持駆動部は、前記第１電圧を供給する第１電源と前記出力端の間に連結されている第３スイッチ、及び、
前記第２電圧を供給する第２電源と前記出力端の間に連結されている第４スイッチを備え、前記所定電源は前記第１電源であることを特徴とする請求項２２に記載のプラズマ表示装置。
【請求項２４】
前記第１スイッチが遮断され、前記第４スイッチが導通して、前記複数のグループの中の前記第１グループではない第２グループの第１電極に、前記第２電圧が印加される期間中の所定期間で、前記第２スイッチが導通して前記第１グループの第１電極に前記第１電圧が印加されることを特徴とする請求項２３に記載のプラズマ表示装置。
【請求項２５】
前記維持駆動部は、
前記第１電圧を供給する第１電源と前記出力端の間に連結されている第３スイッチと、
前記第２電圧を供給する第２電源と前記出力端の間に連結されている第４スイッチ、及び、
電力回収用キャパシタとインダクタを含み、前記出力端に連結されている電力回収回路を備え、
前記所定電源は前記電力回収用キャパシタであることを特徴とする請求項２２に記載のプラズマ表示装置。
【請求項２６】
前記第１スイッチが遮断され、前記第４スイッチが導通して、前記複数のグループの中の前記第１グループではない第２グループの第１電極に、前記第２電圧が印加される期間中の所定期間で、
前記第２スイッチが導通して前記第１グループの第１電極に前記第１電圧が印加されることを特徴とする請求項２３に記載のプラズマ表示装置。
【請求項２７】
前記複数の第１電極と同じ方向に伸びている複数の第２電極、及び、
前記第１及び第２電極と交差する方向に伸びている複数の第３電極をさらに備えることを特徴とする請求項２２に記載のプラズマ表示装置。
【発明の詳細な説明】
【技術分野】
【０００１】
本発明は、プラズマ表示装置とその駆動方法に関するものである。
【背景技術】
【０００２】
プラズマ表示装置は、気体放電によって生成されたプラズマを利用して文字または映像を表示する平面表示装置である。プラズマ表示装置の表示パネルにはその大きさによって数十から数百万個以上の放電セル（画素）がマトリックス形態に配列されている。
【０００３】
一般に、プラズマ表示装置では１フレームがそれぞれの輝度加重値を有する複数のサブフィールドに分割される。そして放電セルの階調は複数のサブフィールドのうちの当該放電セルが発光するサブフィールドの加重値の合計により決定される。この時、各サブフィールドはリセット期間、アドレス期間及び維持期間からなる。リセット期間は、放電セルの状態を初期化させる期間であり、アドレス期間は放電セルのうちの発光させようとするセル（発光セル）と発光させないセル（非発光セル）を区別するためのアドレシング動作を行う期間である。維持期間はアドレシングされたセルを当該サブフィールドの加重値に相当する期間、維持放電させて画像を表示する期間である。
【０００４】
そして、アドレス期間では、走査電極に順次に走査パルスが印加されながら、順次にアドレシング動作が行われる。このようにアドレス期間で全ての放電セルに対してアドレシング動作が行われた後、維持期間で発光セルに対して維持放電動作が行われる。
【０００５】
このようにすると、アドレシング動作が最初に行われた走査電極は、他の全ての走査電極に対してアドレシング動作が行われた後、維持放電動作が行われる。つまり、時間的に先にアドレシング動作が行われた放電セルは、比較的に他の放電セルに比べて長い時間が経過した後に、維持放電が起こる。
【０００６】
このような放電セルでは維持放電が起こる前にアドレシング動作によって形成されたプライミング粒子或いは放電セルに形成された壁電荷の一定量が消去されることがあるので、維持放電が不安定に起こることもありうる。
【発明の開示】
【発明が解決しようとする課題】
【０００７】
本発明が解決しようとする技術的課題は、アドレシング動作と維持放電動作の間の時間差を減らすことができるプラズマ表示装置とその駆動方法を提供することである。
【課題を解決するための手段】
【０００８】
前記課題を解決するための本発明の一つの特徴によるプラズマ表示装置の駆動方法は、複数の第１電極及び複数の第２電極と、前記第１及び第２電極と交差する方向に伸びている複数の第３電極とを含み、前記第１、第２及び第３電極によって放電セルが形成されるプラズマ表示装置の、１フレームを複数のサブフィールドに分割して駆動する方法であって、前記複数の第１及び第２電極が複数のグループに分割され、前記サブフィールドは複数の維持期間と前記複数のグループに各々対応する複数のアドレス期間を含み、少なくとも一つのサブフィールドで、前記各グループについてのアドレス期間に、前記各グループの放電セルの中で発光セルを選択する段階、及び、前記各維持期間に、前記第１電極と第２電極に各々少なくとも一つの第１または第２維持放電パルスを印加する段階を含み、時間的に隣接した二つの前記アドレス期間に、前記複数の維持期間の中の少なくとも一つの維持期間が存在し、前記複数の維持期間の中の少なくとも一つの第１維持期間で、前記複数のグループの中の少なくとも一つの第１グループについての前記第１及び第２維持放電パルスは、ハイレベルとローレベルを反対位相として有し、前記第１維持期間で、前記複数のグループの中の少なくとも一つの第２グループについての少なくとも一つの前記第１維持放電パルスは、前記ハイレベル及びローレベルの中のいずれか一つのレベルを有しない。
【０００９】
前記課題を解決するための本発明の他の特徴によるプラズマ表示装置の駆動方法は、一つの方向に伸びている複数の第１電極及び第２電極、前記第１及び第２電極と交差する方向に伸びている複数の第３電極を含み、前記第１、第２及び第３電極によって放電セルが形成されるプラズマ表示装置において、１フレームを複数のサブフィールドに分割して駆動する方法であって、前記複数の第１及び第２電極を複数のグループに分割する段階、少なくとも一つのサブフィールドで、前記複数のグループの中の第１グループの放電セルの中で発光セルを設定する段階、前記発光セルに対して第１回の維持放電を行う段階、前記複数のグループの中の第２グループの放電セルの中で発光セルを設定する段階、前記発光セルに対して前記第１回の維持放電を行う段階、そして前記第１グループの発光セルに対して第２回の維持放電を行い、前記第２グループの発光セルに対して前記第１回の期間と前記第２回の期間の合計の期間を有する第３回の維持放電を行う段階を含む。
【００１０】
前記課題を解決するための本発明の他の特徴によるプラズマ表示装置は、複数の第１電極、前記複数の第１電極に各々連結されており、各々第１端と第２端を有して前記第１端または第２端からの入力を、対応する前記第１電極に選択的に伝達する複数の選択回路、維持放電のための第１電圧を供給する第１電源に第１端が連結され、前記複数の選択回路の第２端に電気経路を通って連結されている第１スイッチ、維持放電のための第２電圧を供給する第２電源に第１端が連結され、前記複数の選択回路の第２端に前記電気経路を通って連結されている第２スイッチ、前記複数の選択回路を複数のグループに分ける時、少なくとも一つの第１グループの選択回路の第１端と前記第１電源の間に連結されている第３スイッチを備える。
【００１１】
前記課題を解決するための本発明の他の特徴によるプラズマ表示装置は、複数の第１電極、第１及び第２のスイッチ、並びに維持駆動部を備えるものであって、詳しくは、前記複数の第１電極、前記複数の第１電極を複数のグループに分割する時、少なくとも一つの第１グループの第１電極に第１端が連結されている第１スイッチ、出力端が、前記第１スイッチの第１端と前記第１グループではない第２グループの第１電極に連結されて、維持期間に第１電圧と第２電圧とを交互に出力する維持駆動部、そして第１端が前記第１グループの第１電極に連結され、第２端が前記維持駆動部の所定電源に連結されている第２スイッチを備える。
【発明の効果】
【００１２】
本発明に係るプラズマ表示装置及びその駆動方法では、複数の放電セルを複数のグループで分割した後、一つのグループの放電セルに対してアドレシングをした後に、所定期間中、維持放電を行うので、アドレシング動作と維持放電動作の間の時間が短くなって円滑な維持放電が起こる。
【発明を実施するための最良の形態】
【００１３】
以下、添付図面を参照しながら、本発明の実施例について詳細に説明する。本明細書及び図面において、実質的に同一の機能構成を有する構成要素については、同一の符号を付することにより重複説明を省略する。
【００１４】
次に、本発明の実施例によるプラズマ表示装置の駆動方法について、図面を参照して詳細に説明する。
【００１５】
まず、図１を参照して、本発明の実施例によるプラズマ表示装置について説明する。図１は本発明の実施例によるプラズマ表示装置の概略的な図面である。
【００１６】
図１に示すように、本発明の実施例によるプラズマ表示装置は、プラズマ表示パネル１００と、制御部２００と、アドレス駆動部３００と、維持電極駆動部４００、及び走査電極駆動部５００を備える。プラズマ表示パネル１００は、列方向に伸びている複数のアドレス電極Ａ１〜Ａｍと、行方向に伸びている複数の維持電極Ｘ１〜Ｘｎ、及び複数の走査電極Ｙ１〜Ｙｎを含む。
【００１７】
複数の走査電極Ｙ１〜Ｙｎ、及び維持電極Ｘ１〜Ｘｎは、互いに対を成しながら配列されている。そして、隣接する走査電極Ｙ１〜Ｙｎと維持電極Ｘ１〜Ｘｎ、及びこれらを交差するアドレス電極Ａ１〜Ａｍによって放電セルが形成される。
【００１８】
制御部２００は、外部から映像信号を受信してアドレス電極駆動制御信号、維持電極駆動制御信号及び走査電極駆動制御信号を出力する。そして、制御部２００は一つのフレームをそれぞれの加重値を有する複数のサブフィールドに分割して駆動する。
【００１９】
アドレス駆動部３００は、制御部２００からアドレス電極駆動制御信号を受信して点灯させようとする放電セルを選択するための信号を各アドレス電極Ａ１〜Ａｍに印加する。
【００２０】
維持電極駆動部４００は、制御部２００から維持電極駆動制御信号を受信して維持電極Ｘ１〜Ｘｎに駆動電圧を印加し、走査電極駆動部５００は、制御部２００から走査電極駆動制御信号を受信して走査電極Ｙ１〜Ｙｎに駆動電圧を印加する。
【００２１】
次に、図２〜図４を参照して、本発明の実施例によるプラズマ表示装置の駆動方法について説明する。図２は本発明の実施例によるプラズマ表示装置の駆動方法を説明するための図面である。
【００２２】
図２に示すように、１フレームはそれぞれの加重値を有する複数（図２では８個）のサブフィールドＳＦ１〜ＳＦ８に分割されており、走査電極Ｙ１〜Ｙｎ、及び維持電極Ｘ１〜Ｘｎは、各々ｋ個のグループＧ１〜Ｇｋで分割されている（ここで、ｋは２以上の整数）。
【００２３】
そして、図２では走査及び維持電極Ｙ１〜Ｙｎ、Ｘ１〜Ｘｎを物理的な配列順に所定個数毎にグループを形成することと示した。つまり、第１行からｎ／ｋ番目の行までの走査及び維持電極（Ｙ１〜Ｙｎ/ｋ、Ｘ１〜Ｘｎ/ｋ）が第１グループＧ１を形成し、（ｎ／ｋ）＋１番目の行から２ｎ／ｋ番目の行の走査及び維持電極（Ｙｎ/ｋ+１〜Ｙ２ｎ/ｋ、Ｘｎ/ｋ+１〜Ｘ２ｎ/ｋ）が第２グループＧ２を形成する。このような方法で、（ｋ−１）ｎ／ｋ＋１番目の行からｎ番目の行の走査及び維持電極（Ｙ（ｋ-１）ｎ/ｋ+１〜Ｙｎ、Ｘ（ｋ-１）ｎ/ｋ+１〜Ｘｎ）がｋ番目グループＧｋを形成する。
【００２４】
この他に、一定の間隔で離れている走査及び維持電極Ｙ１〜Ｙｎ、Ｘ１〜Ｘｎを一つのグループにすることもできる。つまり、１、ｎ／ｋ＋１、２ｎ／ｋ＋１、…、（ｋ−１）ｎ／ｋ＋１番目の走査及び維持電極（Ｙ１、Ｙｎ/ｋ+１、Ｙ２ｎ/ｋ+１、…、Ｙ（ｋ-１）ｎ/ｋ+１、Ｘ１、Ｘｎ/ｋ+１、Ｘ２ｎ/ｋ+１、…、Ｘ（ｋ-１）ｎ/ｋ+１）を第１グループＧ１に設定して、２、ｎ/ｋ+２、２ｎ/ｋ+２、…、（ｋ-１）ｎ/ｋ+２番目の走査及び維持電極（Ｙ２、Ｙｎ/ｋ+２、Ｙ２ｎ/ｋ+２、…、Ｙ（ｋ-１）ｎ/ｋ+２、Ｘ２、Ｘｎ/ｋ+２、Ｘ２ｎ/ｋ+２、…、Ｘ（ｋ-１）ｎ/ｋ+２）を第２グループＧ２に設定することもできる。一方、必要に応じて不規則な方式で、走査及び維持電極をグループにすることもできる。
【００２５】
図３は、本発明の実施例によるプラズマ表示装置の駆動方法で、一つのサブフィールドを概略的に示す図面である。図３では、説明を簡単にするために、走査及び維持電極Ｙ１〜Ｙｎ、Ｘ１〜Ｘｎが４つのグループＧ１〜Ｇ４を含んでなることを示した。そして、図３で全ての維持期間Ｓ１１〜Ｓ１４、Ｓ２１〜Ｓ２４、Ｓ３１〜Ｓ３４、Ｓ４１〜Ｓ４４の長さは同じであると想定する 。
【００２６】
図３に示すように、一つのサブフィールドはリセット期間Ｒ、アドレス／維持混合期間Ｔ１、共通維持期間Ｔ２及び輝度補正期間Ｔ３を含んでなる。
【００２７】
リセット期間Ｒは全てのグループＧ１〜Ｇ４の放電セルにリセット波形を印加して放電セルの壁電荷状態を初期化する期間である。
【００２８】
アドレス／維持混合期間Ｔ１では、まず第１グループＧ１に対してアドレス期間ＡＧ１の動作が行われて発光セルが設定された後、維持期間Ｓ１１の動作が行われて第１グループＧ１の発光セルが維持放電する。次に、第２グループＧ２に対してアドレス期間ＡＧ２の動作が行われて発光セルが設定された後、維持期間Ｓ１２、Ｓ２１の動作が行われて第１及び第２グループＧ１、Ｇ２の発光セルが維持放電する。
【００２９】
そして、第３グループＧ３に対してアドレス期間ＡＧ３の動作が行われて発光セルが設定された後、維持期間Ｓ１３、Ｓ２２、Ｓ３１の動作が行われて第１〜第３グループＧ１〜Ｇ３の発光セルが維持放電する。同様に、第４グループＧ４に対してアドレス期間ＡＧ４の動作が行われて発光セルが設定された後、維持期間Ｓ１４、Ｓ２３、Ｓ３２、Ｓ４１の動作が行われて第１〜第４グループＧ１〜Ｇ４の発光セルが維持放電する。
【００３０】
共通維持期間Ｔ２では、第１〜第４グループＧ１〜Ｇ４に対して所定期間に、共通に維持期間Ｔ２の動作が行われて、第１〜第４グループＧ１〜Ｇ４の発光セルに維持放電が起こる。このような共通維持期間Ｔ２の長さが調節されることによって、当該サブフィールドの輝度加重値を設定できる。
【００３１】
このようにアドレス／維持混合期間Ｔ１と共通維持期間Ｔ２の動作が行われれば、第１グループＧ１の発光セルが第２グループＧ２の発光セルに比べて１回の維持期間Ｓ１１の動作が多く行われ、第２グループＧ２の発光セルが第３グループＧ３の発光セルに比べて１回の維持期間Ｇ２１の動作が多く行われる。同様に、第３グループＧ３の発光セルは第４グループＧ４の発光セルに比べて１回の維持期間Ｇ３１の動作が多く行われる。したがって、第１〜第４グループＧ１〜Ｇ４では、維持期間の回数に差が生じて、第１〜第４グループＧ１〜Ｇ４の間に輝度差が発生する。
【００３２】
このような各グループ別輝度差を補正するために、本発明の実施例では輝度補正期間Ｔ３の動作が行われる。このような輝度補正期間Ｔ３は、他のグループに比べて維持放電回数が少ないグループに対して選択的に維持放電を行う期間である。
【００３３】
つまり、第２グループＧ２の発光セルの輝度を第１グループＧ１の発光セルの輝度に合せるために、第１グループＧ１の発光セルに維持放電が起こらないように設定された状態で、維持期間Ｓ２４、Ｓ３３、Ｓ４２の動作が行われる。そうすると、第２〜第４グループＧ２〜Ｇ４の発光セルに維持放電が起こる。
【００３４】
同様に、第１及び第２グループＧ１、Ｇ２の発光セルに維持放電が起こらないように設定された状態で維持期間Ｓ３４、Ｓ４３の動作が行われて、第３及び第４グループＧ３、Ｇ４の発光セルで維持放電が起こる。そして第１〜第３グループＧ１〜Ｇ３の発光セルに維持放電が起こらないように設定された状態で維持期間Ｓ４４の動作が行われて、第４グループＧ４の発光セルで維持放電が起こる。このようにすると、全てのグループＧ１〜Ｇ４の発光セルに対して同じ回数の維持放電を起こすことができる。
【００３５】
そして、図３では、輝度補正期間Ｔ３の動作が共通維持期間Ｔ２の動作の以降に行われることと示したが、共通維持期間Ｔ２の動作の前に行われることも出来る。また、アドレス／維持混合期間Ｔ１と輝度補正期間Ｔ３の動作によって当該サブフィールドの輝度加重値が十分な場合には、共通維持期間Ｔ２の動作が行われないこともある。
【００３６】
また、輝度補正期間Ｔ３は、アドレス／維持混合期間Ｔ１に含ませることも出来る。例えば、図３で第１グループＧ１の発光セルが一回の維持期間Ｓ１１の動作により所望の階調を表現する場合に、以降三回の維持期間Ｓ１２、Ｓ１３、Ｓ１４の間に、第１グループＧ１の発光セルは、維持放電が起こらない状態に設定される。同様に、第２グループＧ２の発光セルは、以降二回の維持期間Ｓ２２、Ｓ２３の間に、維持放電が起こらない状態に設定される。
【００３７】
次に、本発明の実施例によるプラズマ表示装置の駆動方法を実現する駆動波形及びその駆動波形を生成する駆動回路について、図４〜図１０を参照して詳細に説明する。
【００３８】
図４は、本発明の第１実施例によるプラズマ表示装置の駆動方法の駆動波形を示すタイミングチャートである。図４では、説明を簡単にするために、走査及び維持電極Ｙ１〜Ｙｎ、Ｘ１〜Ｘｎを２つのグループにして示した。そして、二つのグループの走査電極を、各々ＹＧ１及びＹＧ２として示し、二つのグループの維持電極を各々ＸＧ１及びＸＧ２（図では共通のＸで示している）として表した。また、図４では、アドレス電極に印加される駆動波形の図示は省略した。
【００３９】
リセット期間Ｒでは、第１及び第２グループＹＧ１、ＹＧ２の走査電極に対してリセット波形を印加して放電セルの壁電荷状態を初期化する。つまり、維持電極ＸＧ１、ＸＧ２に基準電圧（図４では接地電圧）が印加された状態で、走査電極ＹＧ１、ＹＧ２の電圧をＶｓ電圧からＶset電圧まで漸進的に増加させる。次に、維持電極ＸＧ１、ＸＧ２にＶｓ電圧が印加された状態で、走査電極ＹＧ１、ＹＧ２の電圧をＶｓ電圧からＶscL電圧まで漸進的に減少させる。このようにすることで、第１及び第２グループの放電セルの壁電荷状態が初期化される。
【００４０】
次に、アドレス／維持混合期間Ｔ１では、まず第１グループの走査及び維持電極ＹＧ１、ＸＧ１に対してアドレス期間ＡＧ１の動作が行われる。アドレス期間ＡＧ１で、第１及び第２グループの維持電極ＸＧ１、ＸＧ２にＶｓ電圧を印加した状態で、第１グループの走査電極ＹＧ１に順次にＶscL電圧の走査パルスが印加される。この時、第２グループの走査電極ＹＧ２と走査パルスが印加されない第１グループの走査電極ＹＧ１には、ＶscL電圧より高いＶscH電圧が印加される。そして、走査パルスが印加される走査電極ＹＧ１とアドレスパルス（図示せず）が印加されたアドレス電極によって形成される放電セルで放電が起こる。そうすると、当該放電セルの走査電極ＹＧ１に＋壁電荷が形成され、維持電極ＸＧ１に−壁電荷が形成され、走査電極ＹＧ１と維持電極ＸＧ１の間に所定の壁電圧Ｖwxyが形成されて発光セルが選択される。この時、第２グループの走査電極ＹＧ２にはＶscH電圧が印加されて放電が起こらないので、第１グループの走査及び維持電極ＹＧ１、ＸＧ１によって形成される放電セルの中にだけ発光セルが選択される。
【００４１】
そして、アドレス／維持混合期間Ｔ１の維持期間Ｓ１１では、走査電極ＹＧ１、ＹＧ２及び維持電極ＸＧ１、ＸＧ２に、反対位相で維持放電パルスが印加される。図４では、一回の維持放電パルスが印加されることと示した。そして、維持放電パルスは、ハイレベル電圧（図４ではＶｓ電圧）とローレベル電圧（図４では０ＶまたはＶscH電圧）を有する。ここで、ＶｓまたはＶｓ〜ＶscH電圧は、走査電極と維持電極の間の放電開始電圧よりは小さい電圧である。また、ＶｓまたはＶｓ〜ＶscH電圧とアドレス期間ＡＧ１の動作で、走査電極と維持電極の間に形成された壁電圧Ｖwxyの合計は、放電開始電圧より大きい電圧である。
【００４２】
維持期間Ｓ１１で、まず走査電極ＹＧ１、ＹＧ２にＶｓ電圧が印加され、維持電極ＸＧ１、ＸＧ２（図中Ｘで示す）に０Ｖが印加されると、アドレス期間ＡＧ１で壁電圧Ｖwxyが形成された第１グループＹＧ１、ＸＧ１の放電セルで維持放電が起こる。この維持放電によって第１グループの発光セルの走査電極ＹＧ１に＋壁電荷が形成され、維持電極ＸＧ１に−壁電荷が形成される。つまり、発光セルの走査電極ＹＧ１と維持電極ＸＧ１の間にＶwxy壁電圧と反対の極性である壁電圧Ｖwyxが形成される。一方、第２グループの走査及び維持電極ＹＧ２、ＸＧ２にも維持放電パルスが印加されるが、走査電極ＹＧ２と維持電極ＸＧ２の間に壁電圧が形成されないので維持放電が起こらない。次に、走査電極ＹＧ１、ＹＧ２にＶscH電圧が印加され、維持電極ＸＧ１、ＸＧ２にＶｓ電圧が印加されて、前の維持放電で壁電圧Ｖwyxが形成された第１グループＹＧ１、ＸＧ１の放電セルに維持放電が起こる。そして、この維持放電によって走査電極ＹＧ１に＋壁電荷が形成され、維持電極ＸＧ１に−壁電荷が形成されて、再びＶwxyのような極性の壁電圧Ｖwxy´が発光セルの走査電極ＹＧ１と維持電極ＸＧ１の間に形成される。
【００４３】
次に、第２グループの走査及び維持電極ＹＧ２、ＸＧ２に対してアドレス期間ＡＧ２の動作が行われる。アドレス期間ＡＧ２で、第１及び第２グループの維持電極ＸＧ１、ＸＧ２にＶｓ電圧を印加した状態で、第２グループの走査電極ＹＧ２に順次にＶscL電圧の走査パルスが印加される。この時、第１グループの走査電極ＹＧ１と走査パルスが印加されない第２グループの走査電極ＹＧ２にはＶscH電圧が印加される。以下、走査パルスが印加される第２グループの走査電極ＹＧ２とアドレスパルス（図示せず）が印加されたアドレス電極によって形成される放電セルで放電が起こる。そうすると、前述したように、当該放電セルの走査電極ＹＧ２と維持電極ＸＧ２の間に壁電圧Ｖwxyが形成されて発光セルが選択される。このようにして、アドレス期間ＡＧ２では第２グループの走査及び維持電極ＹＧ２、ＸＧ２によって形成される放電セルの中で発光セルを選択する。
【００４４】
次に、アドレス／維持混合期間の維持期間Ｓ１２、Ｓ２１に、走査電極ＹＧ１、ＹＧ２と維持電極ＸＧ１、ＸＧ２に反対位相で維持放電パルスが１回ずつ印加される。まず、維持電極ＸＧ１、ＸＧ２に０Ｖの電圧が印加されて走査電極ＹＧ１、ＹＧ２にＶｓ電圧が印加される。そうすると、第１及び第２グループの発光セルでは、全ての走査電極ＹＧ１、ＹＧ２に＋壁電荷が形成された状態なので、第１及び第２グループの発光セルで維持放電が起こる。そして、維持電極ＸＧ１、ＸＧ２にＶｓ電圧が印加され、走査電極ＹＧ１、ＹＧ２に０Ｖ電圧が印加されると、第１及び第２グループの発光セルで維持放電が起こる。このようにアドレス／維持混合期間の維持期間Ｓ１２、Ｓ２１では、第１及び第２グループの発光セルで維持放電が起こる。
【００４５】
共通維持期間Ｔ２で、第１及び第２グループの走査電極ＹＧ１、ＹＧ２と維持電極ＸＧ１、ＸＧ２に維持放電パルスが印加されて二つのグループの発光セルに共通に維持放電が行われる。
【００４６】
そして、第１グループの発光セルは第２グループの発光セルに比べて維持期間Ｓ１１で２回の維持放電が多く起こったので、第１グループの発光セルに比べて第２グループの発光セルに対して２回の維持放電を多く起こすことができる輝度補正期間Ｔ３の動作が行われる。
【００４７】
つまり、輝度補正期間Ｔ３で、直前維持放電によって走査電極ＹＧ１、ＹＧ２に−壁電荷が形成された状態で、第１グループの走査電極ＹＧ１と維持電極ＸＧ１にＶｓ電圧が同時に印加される。また、第２グループの走査電極ＹＧ２には０Ｖが印加され、第２グループの維持電極ＸＧ２にはＶｓ電圧が印加される。このようにすると、第２グループの発光セルでは、走査電極ＹＧ２と維持電極ＸＧ２に印加された電圧差Ｖｓによって維持放電が起こる。それに反して、第１グループの発光セルでは、走査電極ＹＧ１と維持電極ＸＧ１に印加された電圧差が０Ｖなので維持放電が起こらない。
【００４８】
次に、第１及び第２グループの走査電極ＹＧ１、ＹＧ２にＶｓ電圧が印加され、維持電極ＸＧ１、ＸＧ２に０Ｖが印加される。この時、第１グループの発光セルは直前に維持放電が起こらなかったから走査電極ＹＧ１に−壁電荷が形成された状態なので、走査電極ＹＧ１にＶｓ電圧が印加されても維持放電が起こらない。そして、図示してないが、以降、走査電極ＹＧ１に０Ｖが印加され、維持電極ＸＧ１にＶｓ電圧が印加されると、第１グループの発光セルでは再び維持放電が起こることが可能である。
【００４９】
このように、輝度補正期間Ｔ３では、第１グループの発光セルが維持放電が起こらない状態で、第２グループの発光セルで２回の維持放電が起こるので、第１グループと第２グループの発光セルで輝度を一致させることができる。
【００５０】
そして、図４では、維持期間Ｓ１１の一部とアドレス期間ＡＧ２の一部が重なることを示し、走査電極ＹＧ１、ＹＧ２にＶｓ電圧が印加される時、維持電極ＸＧ１、ＸＧ２にＶscH電圧が印加されることを示した。これとは違って、二つの期間Ｓ１１、ＡＧ２を分離して維持電極にＶscH電圧の代わりに０Ｖを印加することもできる。また、リセット期間Ｒとアドレス期間ＡＧ１、ＡＧ２で、維持電極ＸＧ１、ＸＧ２にＶｓ電圧の代わりにＶｓ電圧より高いか低いＶｂ電圧を印加することもできる。
【００５１】
次に、図５を参照して、図４の駆動波形を生成する駆動回路について説明する。図５は、図４の駆動波形を生成するための走査電極駆動部５００の概略的な回路図である。図５では説明を簡単にするために、第１グループの維持及び走査電極ＸＧ１、ＹＧ１と第２グループの維持及び走査電極ＸＧ２、ＹＧ２を各々一つずつだけ示した。また、図５では、スイッチをボディーダイオードが形成されるＮＭＯＳトランジスタとして示したが、他のスイッチも使用できる。
【００５２】
図５に示すように、走査電極駆動部５００は、電力回収回路５１０、維持駆動部５２０、ＶscH電圧供給部５３０、ＶscL電圧供給部５４０、第１グループの選択回路５５０、第２グループの選択回路５６０、輝度補正部５７０、上昇リセット部５８０及び下降リセット部５９０を備える。
【００５３】
第１グループの選択回路５５０は、第１グループの走査電極ＹＧ１に各々対応するように複数個形成されるが、図５では一つの走査電極ＹＧ１に連結される選択回路５５０のみを示した。同様に、第２グループの選択回路５６０も第２グループの走査電極ＹＧ２に各々対応するように複数個形成されるが、図５では一つの走査電極ＹＧ２に連結される選択回路５６０のみを示した。
【００５４】
第１グループの選択回路５５０は、走査電極ＹＧ１にソースが連結されるトランジスタＳＣ-Ｈ１と、走査電極ＹＧ１にドレーンが連結されるトランジスタＳＣ-Ｌ１を備え、第２グループの選択回路５６０は、走査電極ＹＧ２にソースが連結されるトランジスタＳＣ-Ｈ２と、走査電極ＹＧ２にドレーンが連結されるトランジスタＳＣ-Ｌ２を備える。そして、第１及び第２グループの選択回路５５０、５６０のトランジスタＳＣ-Ｌ１、ＳＣ-Ｌ２のソースはノードＮ１に連結される。
【００５５】
ＶscH電圧供給部５３０は、ＶscH電圧を供給する電源に第１端が連結され、ノードＮ１に第２端が連結されるキャパシタＣscを備える。そして、ＶscH電圧供給部５３０はキャパシタＣscからＶscH電源への電流を遮断するためのダイオードＤscをさらに備えることも出来る。ＶscL電圧供給部５４０は、ノードＮ１とＶscL電圧を供給する電源の間に連結されたトランジスタＹscを備える。トランジスタＹscが導通する時、キャパシタＣscにはＶscH〜ＶscL電圧が充電される。
【００５６】
維持駆動部５２０は、トランジスタＹｓ、Ｙｇを備え、出力端を通して維持放電パルスを出力する。トランジスタＹｓは、ドレーンがＶｓ電圧を供給する電源に連結され、ソースが電気経路を通してノードＮ１に連結されている。トランジスタＹｇは、ソースが０Ｖ電圧を供給する電源に連結され、ドレーンである電気経路を通してノードＮ１に連結されている。そして、リセット期間に走査電極の電圧を漸進的に上昇させるための上昇リセット部５８０と、リセット期間に走査電極の電圧を漸進的に下降させるための下降リセット部５９０が電気経路に連結されている。ここで、電気経路にはトランジスタなどの素子（図示せず）が形成されて、電気経路に連結された駆動部５１０〜５９０の間で発生し得る短絡を防止することができる。
【００５７】
輝度補正部５７０は、トランジスタＳＷ１、ＳＷ２を備える。トランジスタＳＷ１は、キャパシタＣscの第１端と第１及び第２グループの選択回路５５０、５６０のトランジスタＳＣ-Ｈ１、ＳＣ-Ｈ２のドレーンの間に連結されている。トランジスタＳＷ２は、Ｖｓ電圧を供給する電源と第１及び第２グループの選択回路５５０、５６０のトランジスタＳＣ-Ｈ１、ＳＣ-Ｈ２のドレーンの間に連結されている。
【００５８】
上昇リセット部５８０は、リセット期間Ｒに走査電極ＹＧ１、ＹＧ２の電圧を漸進的に増加させて、下降リセット部５９０は、リセット期間Ｒに走査電極ＹＧ１、ＹＧ２の電圧を漸進的に減少させる。
【００５９】
そして、電力回収回路５１０は走査電極ＹＧ１、ＹＧ２にＶｓ電圧を印加する前に共振を通して走査電極ＹＧ１、ＹＧ２の電圧を増加させ、また、走査電極ＹＧ１、ＹＧ２に０Ｖ電圧を印加する前に共振を通して走査電極ＹＧ１、ＹＧ２の電圧を減少させる。このような電力回収回路５１０の詳細な構造及び動作についての説明は省略する。
【００６０】
次に、図５の駆動回路の動作について、図４を参照して説明する。以下の動作説明では、維持電極とアドレス電極に印加される波形についての説明は省略する。
【００６１】
まず、アドレス／維持混合期間Ｔ１の第１グループのアドレス期間ＡＧ１に、第１及び第２グループの選択回路５５０、５６０のトランジスタＳＣ-Ｈ１、ＳＣ-Ｈ２とトランジスタＹscが導通状態となる。そうすると、ノードＮ１の電圧がＶscL電圧に変わって、キャパシタＣscに充電されたＶscH〜ＶscL電圧によって第１及び第２グループの走査電極ＹＧ１、ＹＧ２にはＶscH電圧が印加される状態になる。この時、第１グループの走査電極ＹＧ１の中の選択される走査電極ＹＧ１に連結された選択回路５５０のトランジスタＳＣ-Ｈ１が遮断されてトランジスタＳＣ-Ｌ１が導通し、ＶscL電圧が選択される走査電極ＹＧ１に印加される。
【００６２】
第１グループの維持期間Ｓ１１に、トランジスタＹscと第１及び第２グループの選択回路５５０、５６０のトランジスタＳＣ-Ｈ１、ＳＣ-Ｈ２が遮断される。そして、第１及び第２グループの選択回路５５０、５６０のトランジスタＳＣ-Ｌ１、ＳＣ-Ｌ２と維持駆動部５２０のトランジスタＹｓが導通してＶｓ電圧が第１及び第２グループの走査電極ＹＧ１、ＹＧ２に印加される。次に、トランジスタＹｓが遮断されてトランジスタＹｇが導通して、０Ｖ電圧が第１及び第２グループの走査電極ＹＧ１、ＹＧ２に印加される。
【００６３】
次に、第２グループのアドレス期間ＡＧ２には、第１グループのアドレス期間ＡＧ１と同様に、第１及び第２グループの選択回路５５０、５６０のトランジスタＳＣ-Ｈ１、ＳＣ-Ｈ２とトランジスタＹscが導通してＶscH電圧が走査電極ＹＧ１、ＹＧ２に印加される。この時、第２グループの走査電極ＹＧ２の中の選択される走査電極ＹＧ２に連結された選択回路５５０のトランジスタＳＣ-Ｈ２が遮断されてトランジスタＳＣ-Ｌ２が導通して、ＶscL電圧が選択される走査電極ＹＧ２に印加される。
【００６４】
維持期間Ｓ１２、Ｓ２１と共通維持期間Ｔ２に、第１及び第２グループのトランジスタＳＣ-Ｈ１、ＳＣ-Ｈ２が遮断されて、第１及び第２グループの選択回路５５０、５６０のトランジスタＳＣ-Ｌ１、ＳＣ-Ｌ２が導通状態となる。そして、維持駆動部５２０の二つのトランジスタＹｓ、Ｙｇが交互に導通して、Ｖｓ電圧と０Ｖ電圧が第１または第２グループの走査電極ＹＧ１、ＹＧ２に交互に印加される。
【００６５】
以上、上記アドレス／維持混合期間Ｔ１と共通維持期間Ｔ２では、トランジスタＳＷ１と導通してトランジスタＳＷ２が遮断された状態である。
【００６６】
輝度補正期間Ｔ３に、維持駆動部５２０のトランジスタＹｇが導通して、０Ｖ電圧がノードＮ１に印加される。この時、第２グループの選択回路のトランジスタＳＣ-Ｌ２が導通した状態で、第１グループの選択回路のトランジスタＳＣ-Ｌ１が遮断されて、トランジスタＳＣ-Ｈ１が導通状態となる。そして、輝度補正部５７０のトランジスタＳＷ１が遮断されて、トランジスタＳＷ２が導通状態となる。そうすると、第２グループの走査電極ＹＧ２にはトランジスタＳＣ-Ｌ１を通って０Ｖ電圧が印加されて正常な維持放電が行われるが、第１グループの走査電極ＹＧ１にはトランジスタＳＷ２、ＳＣ-Ｈ１を通ってＶｓ電圧が印加されて維持放電が起こらない。
【００６７】
次に、トランジスタＳＷ２、ＳＣ-Ｈ１が遮断され、トランジスタＹｓ、ＳＣ-Ｌ１、ＳＣ-Ｌ２が導通して、Ｖｓ電圧が第１及び第２グループの走査電極ＹＧ１、ＹＧ２に印加される。この時、前述したように、第１グループの走査電極ＹＧ１では、直前に維持放電が起こらなかったので、逆極性の壁電圧によって維持放電が起こらない。
【００６８】
そして、図５でトランジスタＳＷ１は、トランジスタＳＷ２が導通してＶｓ電圧が選択回路５５０のトランジスタＳＣ-Ｈ１に伝えられる時、Ｖｓ電圧がキャパシタＣscに印加されることを遮断する役割を果たす。したがって、トランジスタＳＷ１の代わりに、同じ役割を果たす他の素子を使用する事も出来る。以下、このような実施例について、図６を参照して説明する。
【００６９】
図６は、図４の駆動波形を生成するための走査電極駆動部５００の概略的な回路図である。図６に示すように、図６の駆動回路はトランジスタＳＷ１の代わりにダイオードＤ１を使用することを除けば、図５の駆動回路と同じ構造を有する。この時、ダイオードＤ１はアドレス期間ＡＧ１、ＡＧ２に、ＶscH電圧を選択回路５５０、５６０に伝達し、輝度補正期間Ｔ３に、Ｖｓ電圧がキャパシタＣscに印加されるのを遮断する。
【００７０】
以上、本発明の第１実施例では、輝度補正期間Ｔ３に維持電極にＶｓ電圧が印加される時、少なくとも一つのグループの走査電極にＶｓ電圧を印加することによって輝度を補正した。これとは違って、走査電極にＶｓ電圧が印加される時、少なくとも一つのグループの維持電極にＶｓ電圧を印加して輝度を補正することもできる。以下、このような実施例について、図７及び図８を参照して詳細に説明する。
【００７１】
図７は、本発明の第２実施例によるプラズマ表示装置の駆動方法の駆動波形を示す図面である。図７に示すように、本発明の第２実施例による駆動波形は、共通維持期間Ｔ３を除けば第１実施例と同一である。
【００７２】
具体的に、共通維持期間Ｔ３に、直前維持放電によって走査電極ＹＧ１、ＹＧ２に＋壁電荷が形成されている状態で、第１グループの走査電極ＹＧ１と維持電極ＸＧ１にＶｓ電圧が同時に印加される。また、第２グループの走査電極ＹＧ２には、Ｖｓ電圧が印加され、第２グループの維持電極ＸＧ２には０Ｖ電圧が印加される。このようにすると、第１実施例で説明したように、第２グループの発光セルでは維持放電が起こるが、第１グループの発光セルでは維持放電が起こらない。
【００７３】
次に、第１及び第２グループの走査電極ＹＧ１、ＹＧ２に０Ｖ電圧が印加され、第１及び第２グループの維持電極ＸＧ１、ＸＧ２にＶｓ電圧が印加される。この時、第１グループの発光セルは、直前に維持放電が起こらなかったから、走査電極ＹＧ１に＋壁電荷が形成されている状態なので、走査電極ＹＧ１に０Ｖ電圧が印加されても維持放電が起こらない。そして、図示してないが、以降に走査電極ＹＧ１にＶｓ電圧が印加され、維持電極ＸＧ１に０Ｖ電圧が印加されると、第１グループの発光セルに再び維持放電が起こすことができる。
【００７４】
次に、図８を参照して図７の駆動波形を生成する駆動回路について説明する。図８は、図７の駆動波形を生成するための走査電極駆動部５００の概略的な回路図である。
【００７５】
図８に示すように、維持電極駆動部４００は、電力回収回路４１０、維持駆動部４２０及び輝度補正部４３０を備える。輝度補正部４４０はスイッチＳＷ３、ＳＷ４を備える。スイッチＳＷ３は第１グループの維持電極ＸＧ１とノードＮ２の間に連結され、スイッチＳＷ４はＶｓ電圧を供給する電源と第１グループの維持電極ＸＧ１の間に連結されている。そして、第２グループの維持電極ＸｇはノードＮ２に連結されている。
【００７６】
維持駆動部４２０は、Ｖｓ電圧を供給する電源とノードＮ２の間に連結されるトランジスタＸｓと、０Ｖ電圧を供給する電源とノードＮ２の間に連結されるトランジスタＸｇを備える。
【００７７】
電力回収回路４１０は、維持電極ＸＧ１、ＸＧ２にＶｓ電圧を印加する前に共振を通して維持電極ＸＧ１、ＸＧ２の電圧を増加させ、また、維持電極ＸＧ１、ＸＧ２に０Ｖ電圧を印加する前に共振を通して維持電極ＸＧ１、ＸＧ２の電圧を減少させる。このような電力回収回路４１０の詳細な構造及び動作についての説明は省略する。
【００７８】
そして、リセット期間Ｒ及びアドレス期間ＡＧ１、ＡＧ２で、維持電極ＸＧ１、ＸＧ２にＶｓ電圧ではないＶｂ電圧が印加される場合には、Ｖｂ電圧を供給する電源とノードＮ２の間にトランジスタを連結させることもできる。
【００７９】
また、走査電極駆動部５００には、図５及び図６で説明した駆動回路で輝度補正部５７０を除いた駆動回路を用いることができる。
【００８０】
次に、図８の駆動回路の動作について、図７を参照して説明する。以下の動作説明で走査電極とアドレス電極に印加される波形についての説明は省略する。
【００８１】
アドレス／維持混合期間Ｔ１と共通維持期間Ｔ２で、スイッチＳＷ３は導通状態となり、トランジスタＳＷ４は遮断されている。
【００８２】
まず、アドレス／維持混合期間Ｔ１の第１グループのアドレス期間ＡＧ１に、トランジスタＸｓが導通してＶｓ電圧がスイッチＳＷ３を通って維持電極ＸＧ１、ＸＧ２に印加される。
【００８３】
維持期間Ｓ１１では、トランジスタＸｓが遮断され、トランジスタＸｇが導通して０Ｖ電圧がスイッチＳＷ３を通って維持電極ＸＧ１、ＸＧ２に印加される。次に、トランジスタＸｇが遮断され、トランジスタＸｓが導通してＶｓ電圧が維持電極ＸＧ１、ＸＧ２に印加される。
【００８４】
第２グループのアドレス期間ＡＧ２では、トランジスタＸｇが遮断され、トランジスタＸｓが導通している状態を維持して、Ｖｓ電圧が維持電極ＸＧ１、ＸＧ２に印加される。
【００８５】
維持期間Ｓ１２、Ｓ２１及び共通維持期間Ｔ２では、二つのトランジスタＸｇ、Ｘｓが交互に導通して０Ｖ電圧とＶｓ電圧が交互に維持電極ＸＧ１、ＸＧ２に印加される。
【００８６】
次に、輝度補正期間Ｔ３に、維持駆動部４２０のトランジスタＸｇが導通して０Ｖ電圧がノードＮ２に印加される。この時、スイッチＳＷ３が遮断され、スイッチＳＷ４が導通状態となる。そうすると、第２グループの維持電極ＹＧ２にはノードＮ２を通って０Ｖ電圧が印加されて正常な維持放電が行われるが、第１グループの維持電極ＸＧ１にはスイッチＳＷ４を通ってＶｓ電圧が印加されて維持放電が起こらない。
【００８７】
次に、トランジスタＸｇ及びスイッチＳＷ４が遮断され、トランジスタＸｓ及びスイッチＳＷ３が導通してＶｓ電圧が第１及び第２グループの維持電極ＸＧ１、ＸＧ２に印加される。この時、前述したように、第１グループの維持電極ＸＧ１では、直前に維持放電が起こらなかったので、逆極性の壁電圧によって維持放電が起こらない。
【００８８】
以上、本発明の第１及び第２実施例では、輝度補正期間Ｔ３に走査及び維持電極に共通に維持放電パルスのハイレベル電圧Ｖｓを印加して輝度を補正する。これとは違って、ハイレベルＶｓとローレベル（０Ｖ）の中間電圧を使用することもできる。以下、このような実施例について、図９及び図１０を参照して詳細に説明する。
【００８９】
図９は、本発明の第３実施例によるプラズマ表示装置の駆動方法の駆動波形を示す図面である。図９に示すように、本発明の第３実施例による駆動波形は共通維持期間Ｔ３を除けば第１実施例と同一である。
【００９０】
具体的に、共通維持期間Ｔ３で、直前維持放電によって走査電極ＹＧ１、ＹＧ２に＋壁電荷が形成された状態で、第１及び第２グループの走査電極ＹＧ１、ＹＧ２にＶｓ電圧が印加される。また、第１グループの維持電極ＸＧ１にはＶｓ／２電圧が印加され、第２グループの維持電極ＸＧ２には０Ｖ電圧が印加される。このようにすると、第２グループの発光セルでは維持放電が起こるが、第１グループの走査電極ＹＧ１と維持電極ＸＧ２の電圧差Ｖｓ／２がＶｓ電圧の半分にしかならないので、第１グループの発光セルでは維持放電が起こらない。
【００９１】
次に、第１及び第２グループの走査電極ＹＧ１、ＹＧ２に０Ｖ電圧が印加され、第１及び第２グループの維持電極ＸＧ１、ＸＧ２にＶｓ電圧が印加される。この時、第１グループの発光セルは直前に維持放電が起こらなかったから、走査電極ＹＧ１に＋壁電荷が形成されていない状態であるので、走査電極ＹＧ１に０Ｖ電圧が印加されても維持放電が起こらない。
【００９２】
次に、図１０を参照して、図９の駆動波形を生成する駆動回路について説明する。図１０は、図９の駆動波形を生成するための維持電極駆動部４００の概略的な回路図である。図１０に示すように、維持電極駆動部４００ａは電力回収回路４１０ａと輝度補正部４３０ａの連結関係を除けば、図８の駆動回路と同じ構造を有する。
【００９３】
具体的に、電力回収回路４１０ａは、トランジスタＸｒ、Ｘｆ、ダイオードＤｒ、Ｄｆ、インダクタＬ及び電力回収用キャパシタＣ１を備える。キャパシタＣ１は、維持放電パルスのハイレベル電圧Ｖｓとローレベル電圧（０Ｖ）の中間電圧であるＶｓ／２電圧を充電しており、トランジスタＸｒのドレーンとトランジスタＸｆのソースがキャパシタＣ１に連結されている。キャパシタＣ１は、また輝度補正部４３０ａのスイッチＳＷ４ａの第１端に連結されており、スイッチＳＷ４ａの第２端は第１グループの維持電極ＸＧ１に連結されている。そして、ダイオードＤｒのアノードがトランジスタＸｒのソースに連結され、ダイオードＤｒのカソードがインダクタＬの第１端に連結されている。ダイオードＤｆはカソードがトランジスタＸｒのソースに連結され、アノードがインダクタＬの第１端に連結されている。インダクタＬの第２端はノードＮ２に連結されている。
【００９４】
次に、図１０の駆動回路の動作について、図９を参照して説明する。以下の動作説明で走査電極とアドレス電極に印加される波形についての説明は省略する。
【００９５】
アドレス／維持混合期間Ｔ１及び共通維持期間Ｔ２でのトランジスタＸｓ、ＸＧ及びスイッチＳＷ３、ＳＷ４ａのスイッチングタイミングは、図８の駆動回路のトランジスタＸｓ、ＸＧ及びスイッチＳＷ３、ＳＷ４のスイッチングタイミングと各々同一なので説明を省略する。
【００９６】
そして、電力回収回路４１０ａでトランジスタＸｒは、維持駆動部４２０のトランジスタＸｓが導通状態となる前に導通状態となる。そうすると、維持電極ＸＧ１、ＸＧ２と走査電極ＹＧ１、ＹＧ２によって形成されるパネルキャパシタとインダクタＬの間に共振が発生して維持電極ＸＧ１、ＸＧ２の電圧が増加する。同様に、トランジスタＸｆは、維持駆動部４２０のトランジスタＸｇが導通状態となる前に導通状態となる。そうすると、パネルキャパシタとインダクタＬの間で共振が発生して維持電極ＸＧ１、ＸＧ２の電圧が減少する。
【００９７】
次に、輝度補正期間Ｔ３に、維持駆動部４２０のトランジスタＸｇが導通して０Ｖ電圧がノードＮ２に印加される。この時、スイッチＳＷ３が遮断され、スイッチＳＷ４ａが導通状態となる。そうすると、第２グループの維持電極ＹＧ２にはノードＮ２を通って０Ｖ電圧が印加されて正常な維持放電が行われるが、第１グループの維持電極ＸＧ１にはスイッチＳＷ４を通ってキャパシタＣ１に充電されたＶｓ／２電圧が印加されて維持放電が起こらない。
【００９８】
次に、トランジスタＸＧ及びスイッチＳＷ４ａが遮断され、トランジスタＸｓ及びスイッチＳＷ３が導通してＶｓ電圧が第１及び第２グループの維持電極ＸＧ１、ＸＧ２に印加される。この時、前述したように、第１グループの維持電極ＸＧ１では直前に維持放電が起こらなかったので、逆極性の壁電圧によって維持放電が起こらない。
【００９９】
本発明の権利範囲は、先に説明した各実施例のような構造に限定されることは無く、請求範囲で定義している本発明の基本概念を使用した当業者による全ての変更及び改良形態も又、本発明の権利範囲に属するものである。
【産業上の利用可能性】
【０１００】
維持放電を安定にする上で極めて有用である。
【図面の簡単な説明】
【０１０１】
【図１】本発明の実施例によるプラズマ表示装置の概略的な図面である。
【図２】本発明の実施例によるプラズマ表示装置の駆動方法を説明するための図面である。
【図３】本発明の実施例によるプラズマ表示装置の駆動方法で一つのサブフィールドを概略的に示す図面である。
【図４】本発明の第１実施例によるプラズマ表示装置の駆動方法の駆動波形を示す図面である。
【図５】図４の駆動波形を生成するための走査電極駆動部の概略的な回路図である。
【図６】図４の駆動波形を生成するための走査電極駆動部の概略的な回路図である。
【図７】本発明の第２実施例によるプラズマ表示装置の駆動方法の駆動波形を示す図面である。
【図８】図７の駆動波形を生成するための走査電極駆動部の概略的な回路図である。
【図９】本発明の第３実施例によるプラズマ表示装置の駆動方法の駆動波形を示す図面である。
【図１０】図９の駆動波形を生成するための走査電極駆動部の概略的な回路図である。
【符号の説明】
【０１０２】
１００      プラズマ表示パネル
２００      制御部
３００      アドレス駆動部
４００      維持電極駆動部 
４１０      電力回収回路
４２０      維持駆動部
４３０      輝度補正部
５００      走査電極駆動部
５１０      電力回収回路
５２０      維持駆動部
５３０      ＶscH電圧供給部
５４０      ＶscL電圧供給部
５５０      第１グループの選択回路
５６０      第２グループの選択回路
５７０      輝度補正部
５８０      上昇リセット部
５９０      下降リセット部
【図１】
2006058884.tif 000003
【図２】
2006058884.tif 000004
【図３】
2006058884.tif 000005
【図４】
2006058884.tif 000006
【図５】
2006058884.tif 000007
【図６】
2006058884.tif 000008
【図７】
2006058884.tif 000009
【図８】
2006058884.tif 000010
【図９】
2006058884.tif 000011
【図１０】
2006058884.tif 000012